(57)【特許請求の範囲】
【請求項１】
容器本体のフランジに設けた凸条と蓋のフランジに設けた凹条を嵌め合せて密封する多角形両嵌合容器において、前記容器本体のコーナ部の凸条に、その内側縁から上面中途部分まで延びる排水溝を設け、前記コーナ部に対応する蓋のフランジに前記凸条の排水溝に連通しかつ容器本体内に連通する排水溝を設け、このフランジの排水溝の深さを前記凹条の内側壁を所定高さだけ残す深さに形成し、この蓋の排水溝の両側にほぼ対応して、前記凹条の外側スカート部にノッチを設けたことを特徴とする嵌合容器。
【請求項２】
前記容器本体の排水溝を設けたコーナ部の凸条を広巾とし、これに対応する蓋の凹条を広巾とし、排水溝を設けていない他のコーナ部の凸条とこれに対応する凹条を同巾の広巾にした請求項１に記載の嵌合容器。
【発明の詳細な説明】
【０００１】
【発明の技術分野】
この発明は、嵌合容器、特に内容物の液体部分を排出した後再封緘可能な嵌合容器に関する。
【０００２】
【従来の技術】
例えば白菜漬やかぶ浅漬などを適宜量嵌合容器にパックしたものが市販されている。この容器はいわゆる両嵌合構造で通常その上面がイージーピール性の接着剤によってヒートシールされており、使用時には、蓋を剥離しながら嵌合を解離し、蓋を取り外している。このとき、内容物の液体成分が飛散して周囲を汚すことがあるため、通常タブを設けた蓋の隅角部のみをまず開封し、そこから液体を排出した後蓋を取り外すよう容器に注意書きが表示されている。
【０００３】
【発明の課題】
しかしながら容器内部の液体を排出するためには、蓋を折り曲げて部分的に開封し、排出用通路を形成する必要があり、一旦折り曲げると曲げ癖がついてしまい、保存等のために再封緘しようとしても折り曲げた部分の嵌合が確実に行なわれず、密封性が低下し、例えば漬物の臭気が漏れて冷蔵庫に充満したり、味が低下するなどの問題がある。
【０００４】
また、この種の両嵌合容器では、蓋と容器本体とはチャンネル形凹条と凸条の嵌め合せで係合するようになっているため、蓋を折り曲げるのが容易でない問題もある。
【０００５】
そこで、この発明の課題は、蓋の部分開封を簡単に行なうことができ、かつ液体の排出がスムーズに行われ、密封性の高い再封緘を可能にすることである。
【０００６】
【課題の解決手段】
上記の課題を解決するために、この発明は、多角形両嵌合容器において、容器本体のコーナ部の凸条に、その内側縁から上面途中部分まで延びる排水溝を設け、前記コーナ部に対応する蓋のフランジに前記凸条の排水溝に連通しかつ容器本体内に連通する排水溝を設け、このフランジの排水溝の深さを前記凹条の内側壁を所定高さだけ残す深さに形成し、この蓋の排水溝の両側にほぼ対応して、前記凹条の外側スカート部にノッチを設けた構成を採用したのである。また、前記排水溝を設けたコーナ部の凸条を広巾とし、これに対応する蓋の凹条を広巾とし、排水溝を設けていない他のコーナ部の凸条と凹条を同巾の広巾とすることができる。
【０００７】
【実施の形態】
以下、この発明の実施形態を添付図面に基づいて説明する。図１乃至図３は容器本体を示す。図示のように、容器本体１０は、底壁１１の周縁から立ち上る周壁１２を有し、この周壁１２の上端開口部１３の外周には平坦なフランジ１４が設けられている。そしてこのフランジ１４の上面には、全周にわたって凸条１５が形成されている。この凸条１５は、上方に向って拡がるテーパ状になっている。また、この凸条１５は、コーナ部においては、容器本体１０の中心方向とほぼ直角な線によって区画される広巾のコーナ凸条１５ａ、１５ｂになっており、一方のコーナ凸条１５ａには、巾方向の途中部分から内側縁まで延びる排水溝１６が設けられている。さらに、前記コーナ凸条１５ａ、１５ｂに対応するフランジ１４には、タブ１７ａ、１７ｂがそれぞれ設けられている。
【０００８】
上記容器本体１０に被せる蓋２０を図４乃至図７に示す。図示のように、頂壁２１の外周には、容器本体１０の凸条１５よりも内側部分のフランジ１４に対応する平坦なフランジ２４が設けられ、このフランジ２４には、容器本体１０の凸条１５に対応する凹条２５が全周にわたって形成されている。この凹条１５は、コーナ部においては、容器本体１０の広巾凸条１５ａ、１５ｂに対応する広巾のコーナ凹条２５ａ、２５ｂとなっている。これらの凹条２５、２５ａ、２５ｂは上方に拡がるテーパ状にしておくのが好ましい。
【０００９】
前記一方のコーナ凹条２５ａに対応するフランジ２４の部分には、上方に窪む排水溝２６が形成され、この排水溝２６の両側とほぼ対応して（溝２６の両側より内側または外側でもよい）、前記凹条２５の外側スカート部２５ｃにノッチ２８ａ、２８ｂが形成されている。このノッチ２８ａ、２８ｂは、図７に示すように上端が凹条２５の上面まで延びている。ノッチ２８ａ、２８ｂの形状は図７のような逆Ｖ字形のほか、逆Ｕ字形や単なる直線状切り目でもよい。このノッチ２８ａ、２８ｂによって蓋２０を簡単に折り曲げることができる。さらに、前記コーナ凹条２５ａ、２５ｂに対応して、その外側にタブ２７ａ、２７ｂが設けられている。なお、蓋２０の頂壁２１は、図示のような上げ蓋形式のほか、フランジ２４と同上平面のものや落し蓋形式のものでもよい。また、排水溝２６の深さは、図５に示すように、凹条２５の内側壁２５ｄを所定高さだけ必ず残す深さに形成しなければならない。
【００１０】
前記蓋２０を容器本体１０に嵌合した状態を図８、図９に示す。図８に示すように、通常の凸条１５と凹条２５の部分は、両者が嵌り合って密着しかつフランジ１４と２４も密着しているため密封性が保たれているが、図９に示すコーナ凸条１５ａと凹条２５ａの部分では、凸条１５ａに排水溝１６が設けられ、さらに蓋２０のフランジ２４にも排水溝２６が設けられて排水溝１６と２６は連通しているため、その部分だけは密封性はないが、凸条１５ａの排水溝１６を除いた上面及び外側面は凹条２５ａの内面に密着しているので、充分密封性が保持されている。また、他方のコーナ凸条１５ｂと凹条２５ｂの部分は図８の凸条１５と凹条２５と同様に両者が嵌り合って密着しかつフランジ１４と２４も密着している。なお必要に応じて排水溝１６の周辺部のみ凸条１５ａの上面と凹条２５ａの内面をヒートシールしたり、コーナ凸条１５ａ、１５ｂを含む凸条１５の上面を全周にわたって凹条２５の内面にヒートシールすることができる。勿論、これらの場合はイージーピール性のヒートシールを行なう必要がある。
【００１１】
上記の容器に内容物を収納したままで水切りを行なうには、図１０に示すように、排水溝１６を設けたコーナ部のタブ２７ａを持ち上げ凸条１５ａと凹条２５ａの嵌合を外す。このとき、図７及び図４に説明したように、蓋２０のスカート部にはノッチ２８ａ、２８ｂが設けられているため、蓋２０のコーナ部はノッチ２８ａ、２８ｂを結ぶ線に沿って折れ曲り部分的に開封される。そこで、容器を傾けると、内容物のうちの液体は、排水溝２６からこれに連通する排水溝１６によって形成される通路を通って排出される。このとき、排水通路は排水溝２６と１６によって区画されており、かつ蓋２０は、ノッチ２８ａと２８ｂを結ぶ線即ち排水溝２６の両側部までしか開封されていないため（図４参照）、排出される液体が他に飛散することはない。
【００１２】
しかしながら、ノッチ２８ａと２８ｂを結ぶ線で蓋２０を折り曲げたため、その線に沿って蓋材料（合成樹脂シート）が劣化して折り目線ができ折れ曲り易くなっている一方、排水溝２６と１６は連通しているため、部分開封した蓋の一部を容器本体に嵌合して再封緘しても、容器にわずかな衝撃が加えられて内圧が上昇すると簡単に蓋の一部が浮き上って密封性がなくなってしまう。
【００１３】
そこで、液体を排出した後、再封緘して密封性を保持するために、図１１及び図１２に示すように、蓋２０を１８０°回転させてコーナ凹条２５ａを容器本体１０のコーナ凸条１５ｂに対応させ、コーナ凹条２５ｂをコーナ凸条１５ａに対応させて蓋２０を容器本体１０に嵌合する。このようにすると、コーナ凹条２５ｂの部分には排水溝２６がないため、フランジ２４と容器本体１０のフランジ１４が密着し、かつ容器本体１０の排水溝１６以外の部分の凸条１５ａ外面も凹条２５ｂの内面と密着するため、このコーナ部における密封性は保たれる。一方、排水溝２６を設けたコーナ凹条２５ａの部分では、フランジ１４と排水溝２６との間に隙間はあるが、容器本体１０の凸条１５ｂに排水溝１６のようなものがないため、凹条２５ａの内側壁２５ｄ内面と凸条１５ｂの内側壁外面が密着し、かつ凹条２５ａの内面（底面）及びスカート部２５ｃの内面も凸条１５ｂの上面及び外側壁の外面に密着し、密封性が保たれる。従って蓋２０は容器本体１０の全周にわたって密封性を保持できることになる。
【００１４】
前記容器は図示のような四角形に限らず、三角形や五角形等の多角形でもよい。奇数角形の場合は正多角形でないとこの発明を適用することができない。また、偶数角形、奇数角形を問わず、正多角形の場合は、どのコーナ部に排水構造とそれを再封緘する構造を設けてもよい。例えば、一つのコーナ部に排水溝１６と２６を設け、残る全てのコーナ部に再封緘用のコーナ凸条１５ｂと凹条２５ｂを設けておくと、蓋を１８０°回転させなくても再封緘可能である。
【００１５】
【発明の効果】
この発明によれば、以上のように、多角形嵌合容器の一つのコーナ部に排水通路を設け、この通路近辺のみを開封可能にして、内容物の液体成分を排出できるようにしたので、容器やその周辺に液体が飛散するのを防止することができ、また、排水通路を設けたコーナ部を他のコーナ部で密封できるようにしたので、蓋の角度を変えて嵌合するだけで再封緘することができる。
【図面の簡単な説明】
【図１】この発明の嵌合容器の容器本体の一例を示す平面図
【図２】図１の２−２線に沿った縦断面図
【図３】図１の３−３線に沿った縦断面図
【図４】嵌合容器の蓋の一例を示す平面図
【図５】図４の５−５線に沿った縦断面図
【図６】図４の６−６線に沿った縦断面図
【図７】蓋のノッチ部分を表す側面図
【図８】容器の縦断面図
【図９】容器の対角線に沿った縦断面図
【図１０】容器の一部を開封した状態を示す一部拡大縦断面図
【図１１】再封緘した容器の対角線に沿った縦断面図
【図１２】再封緘した容器の平面図
【符号の説明】
１０  容器本体
１１  底壁
１２  周壁
１３  開口部
１４  フランジ
１５  凸条
１５ａ、１５ｂ  コーナ凸条
１６  排水溝
１７ａ、１７ｂ  タブ
２０  蓋
２１  頂壁
２４  フランジ
２５  凹条
２５ａ、２５ｂ  コーナ凹条
２５ｃ  スカート部
２５ｄ  内側壁
２６  排水溝
２７ａ、２７ｂ  タブ
２８ａ、２８ｂ  ノッチ
【図１】
0004455717.tif 000002
【図２】
0004455717.tif 000003
【図３】
0004455717.tif 000004
【図４】
0004455717.tif 000005
【図５】
0004455717.tif 000006
【図６】
0004455717.tif 000007
【図７】
0004455717.tif 000008
【図８】
0004455717.tif 000009
【図９】
0004455717.tif 000010
【図１０】
0004455717.tif 000011
【図１１】
0004455717.tif 000012
【図１２】
0004455717.tif 000013